(57)【要約】【課題】様々な加熱対象物を加熱することができる加熱用パックおよびこの加熱用パックを備えた加熱器具を提供することを目的とする。【解決手段】加熱用パック１は、容器２と、容器２内に収容された水パック３、発熱剤パック４および破袋部材５と、容器２を密閉するシール材６とを備えている。容器２は、上面２ａに開口部２ｂを有している。この容器２は、耐熱性の材料を用いて形成されている。水パック３は、袋３１に水３２を密封したものである。発熱剤パック４は、透水性袋４１に発熱剤４２が封入されたものであり、発熱剤４２は、水パック３内の水３２と反応して発熱するものである。また、破袋部材５は、水パック３を突き破るためのものである。【選択図】図２
2015161490.tif 000002
【特許請求の範囲】
【請求項１】
上面に開口部を有する耐熱性の容器と、
水または水溶液を密封した袋が前記容器内に収容された水パックと、
前記水と反応して発熱可能な発熱剤が封入された透水性袋が前記水パックとともに前記容器内に収容された発熱剤パックと、
前記容器の前記開口部を密閉する剥離可能な非透湿性のシール材と、
前記容器内または前記容器外に配置されて前記水パックを突き破るための破袋部材と
を備えることを特徴とする加熱用パック。
【請求項２】
請求項１に記載の加熱用パックと、
該加熱用パックを収容する上方が開口した加熱用パック収容容器と、
該加熱用パック収容容器に着脱可能で前記加熱用パックから発生する熱を利用して加熱対象物を加熱する加熱体とを有し、
前記シール材を剥がし、前記加熱体に前記加熱用パック収容容器を装着することにより、前記破袋部材が前記水パックを突き破ることを可能にしたことを特徴とする加熱器具。
【請求項３】
請求項２に記載の加熱器具において、
前記加熱用パック内の前記破袋部材を前記加熱体側に設けたことを特徴とする加熱器具。
【発明の詳細な説明】
【技術分野】
【０００１】
本発明は、弁当等の調理済み食品や液体等を加熱するために使用される加熱用パックおよびこの加熱用パックを備えた加熱器具に関する。
【背景技術】
【０００２】
従来から駅弁等の調理済食品には、食品用容器に加熱装置を組み込んだものが知られている（例えば特許文献１参照）。この加熱装置は、食品用容器から出ている紐を引っ張ると、食品容器内の発熱トレーに収容されている水パックと発熱剤パックが破れて発熱剤が水と反応して発熱する。食品用容器内には発熱トレーの上に食品トレーが配置されており、この食品トレーは発熱剤の発熱を利用して加熱される。これにより、食品トレーに収容されている食材が加熱されるようになっている。
【先行技術文献】
【特許文献】
【０００３】
【特許文献１】特開２００６−３４６３２９号公報
【発明の概要】
【発明が解決しようとする課題】
【０００４】
しかしながら、特許文献１の加熱装置は、調理済食品専用の食品用容器に予め組み込まれて使用されるものであるため、様々な加熱対象物を加熱するために使用することができなかった。
【０００５】
本発明は、このような従来の課題に鑑みてなされたものであり、様々な加熱対象物を加熱することができる加熱用パックおよびこの加熱用パックを備えた加熱器具を提供することを目的とする。
【課題を解決するための手段】
【０００６】
本発明者等は、鋭意研究の結果、前記課題を解決するために以下のような加熱用パックおよび加熱器具を採用した。
【０００７】
本発明の加熱用パックは、
上面に開口部を有する耐熱性の容器と、
水または水溶液を密封した袋が前記容器内に収容された水パックと、
前記水と反応して発熱可能な発熱剤が封入された透水性袋が前記水パックとともに前記容器内に収容された発熱剤パックと、
前記容器の前記開口部を密閉する剥離可能な非透湿性のシール材と、
前記容器内または前記容器外に配置されて前記水パックを突き破るための破袋部材と
を備えることを特徴とする。
【０００８】
また、他の発明の加熱器具は、
本発明の加熱用パックと、
該加熱用パックを収容する上方が開口した加熱用パック収容容器と、
該加熱用パック収容容器に着脱可能で前記加熱用パックから発生する熱を利用して加熱対象物を加熱する加熱体とを有し、
前記シール材を剥がし、前記加熱体に前記加熱用パック収容容器を装着することにより、前記破袋部材が前記水パックを突き破ることを可能にしたことを特徴とする。
【０００９】
なお、加熱対象物としては、気体、液体、固体（弁当、湯沸かし器、湯たんぽ、哺乳瓶、ペットボトル等）が挙げられる。また、加熱体としては、蛇腹状の配管を有する蒸気ヒータや、携帯アイロン等が挙げられる。蒸気ヒータや携帯アイロンの場合には、その内部に、加熱用パックが収容された容器を組み込んで使用しても良い。
【００１０】
また、この加熱器具は、加熱用パック内の破袋部材を加熱体側に設けても良い。
【発明の効果】
【００１１】
本発明の加熱用パックでは、容器内に水パックと発熱剤パックを収容してシール材で密閉し、破袋部材を容器内または容器外に配置して構成した。これにより使用時には、シール材を剥がして破袋部材で水パックを突き破ると、水パックから水が漏れ出て発熱剤と反応し、発熱剤が発熱する。したがって、容器内または容器上に加熱対象物を配置すれば発熱剤の発熱を利用して加熱することが可能になるので、本発明の加熱用パックは、それ自体で独立して使用することが可能になる。よって、本発明の加熱用パックは、備蓄ができ、必要に応じて様々な加熱対象物を加熱することができ、必要最小限の加熱用パックだけの廃棄とすることができる。
【００１２】
また、他の発明の加熱器具では、加熱体に加熱用パック収容容器を装着することにより、加熱体で様々な加熱対象物を加熱することができる。
【００１３】
さらに、この加熱器具では、加熱体側に加熱用パック内の破袋部材を設けることで、加熱体に加熱用パック収容容器を装着するときに加熱体を持った状態で水パックを突き破ることが可能になる。よって、この加熱器具は、加熱対象物の加熱作業をすぐに開始でき、作業効率を上げることができる。
【図面の簡単な説明】
【００１４】
【図１】本発明の第１の実施の形態の加熱用パックの外観斜視図である。
【図２】図１のＡ−Ａ断面図である。
【図３】同実施の形態の発熱剤パックの平面図である。
【図４】同実施の形態の破袋部材の下面図である。
【図５】同実施の形態の加熱用パックを使用して加熱対象物を加熱するときの手順を説明する図である。
【図６】本発明の加熱用パックを備えた他の発明の第１の実施の形態を示す加熱器具の分解縦断面図である。
【図７】図６に示す加熱器具を使用して液体を加熱するときの手順を説明する図である。
【図８】他の発明の第２の実施の形態を示す加熱器具の分解縦断面図である。
【図９】図８に示す加熱器具を使用して液体を加熱するときの手順を説明する図である。
【発明を実施するための形態】
【００１５】
以下、本発明及び他の発明の実施の形態を図にしたがって説明する。
【００１６】
（本発明の第１の実施の形態）
図１は、本発明の第１の実施の形態を示す加熱用パック１の外観斜視図である。図２は、図１のＡ−Ａ断面図である。
【００１７】
この加熱用パック１は、発熱剤４２が水３２と反応して発熱するのを利用して加熱対象物を加熱するものである。この加熱用パック１は、容器２と、容器２内に収容された水パック３と、容器２内に水パック３の上に重ねられて収容された発熱剤パック４と、容器２内で発熱剤パック４の上に配置された破袋部材５と、容器２を密閉するシール材６とを備えている。
【００１８】
容器２は、上面２ａに開口部２ｂを有している。この容器２は、耐熱性の材料を用いて形成されている。耐熱性の材料としては、発熱剤４２が水３２と反応して発熱する温度より高い融点を有する樹脂が使用されている。その他の耐熱性の材料としては、金属やセラミック等が挙げられる。
【００１９】
水パック３は、袋３１に水３２を密封したものである。袋３１は、柔らかく破袋部材５で突き破れる材質で形成された袋体３１ｂに封入した水を円形状の円板３１ａでシールすることにより形成されている。円板３１ａは容器２内の底面２ｃに接着部材７で固定されている。また、水３２の他に水溶液でも良い。水溶液中の水は、発熱剤が十分に反応する量である。
【００２０】
発熱剤パック４は、透水性袋４１に発熱剤４２が封入されたものである。透水性袋４１は、例えば硬質樹脂で形成された円環状の円板４１ａの上に、略半円形断面に形成された不織布４１ｂが覆うように接合されて円環状に形成されている。これにより発熱剤パック４は、水パック３上の外表面３ａに接触して配置されている。発熱剤４２は、水パック３内の水３２が透水性袋４１を透過してきて発熱反応するものである。具体的な発熱剤４２としては、酸化カルシウムが使用されている。なお、酸化カルシウム以外の周知の発熱剤を使用しても良い。
【００２１】
破袋部材５は、水パック３を突き破るためのものである。この破袋部材５は、水パック３に重ねられた発熱剤パック４の上に配置されている。また、この破袋部材５は、容器２と同様に耐熱性の材料で形成されている。さらに、この破袋部材５は、図２と図４に示すように、平板部５１と、平板部５１の下面５１ａの中央部分に設けられた刃部５２と、平板部５１の下面５１ａにおいて刃部５２の周囲に設けられた複数の押圧突起５３とを備えている。具体的には、各押圧突起５３は、刃部５２の前後左右側に設けられている。
【００２２】
平板部５１は、図４に示すように円板状に形成されている。平板部５１の外周部分には複数の半円状の切り欠き５１１が形成されている。また、平板部５１の下面５１ａには、隣接する押圧突起５３，５３の間に円形の穴５１２が設けられている。これら切り欠き５１１および穴５１２は、発熱剤４２と水３２とが反応して発生する水蒸気を逃がすために設けられている。
【００２３】
刃部５２は、水パック３を突き破る部分である。この刃部５２は、図２に示すように平板部５１から下方に突出して形成されており、発熱剤パック４の中央部分４ａ（空間）の上方に位置している。また、平板部５１の上面５１ｂには、刃部５２と同軸上に中央突起５４が形成されている。この中央突起５４は、平板部５１が押されたときに刃部５２に均等に力を伝えるためのものである。
【００２４】
各押圧突起５３は、図２に示すように平板部５１から下方に延びる、ここでは板状に形成されており、発熱剤パック４に接触して支えられている。さらに、平板部５１の上面５１ｂには、各押圧突起５３と同じ位置に突出部５３ａが形成されている。各突出部５３ａは、平板部５１が押されたときに各押圧突起５３に均等に力を伝えるためのものである。
【００２５】
シール材６は、容器２の開口部２ｂを密閉して上面２ａに剥離可能に貼着されている。このシール材６は、容器２内にある発熱剤パック４中の発熱剤４２が湿気を吸収してしまうのを防ぐために被透湿性の材料（ポリエチレン等）を用いて形成されている。
【００２６】
次に、図５を用いて、加熱用パック１を使用して加熱対象物１０を加熱するときの手順を説明する。
【００２７】
最初に、図５の（ａ）に示すように容器２からシール材６を剥がす。次に、図５の（ｂ）に示すように破袋部材５の上に加熱対象物１０を載せる。
【００２８】
次に、図５の（ｃ）に示すように加熱対象物１０を押し込む。すると、破袋部材５が押し込まれ、破袋部材５の各押圧突起５３が発熱剤パック４を介して水パック３の外表面３ａを押す。これにより水パック３の中央部分３ｂが押し上げられ、中央部分３ｂが刃部５２で突き破られて水３２が漏れ出す。
【００２９】
続いて、図５の（ｄ）に示すように加熱対象物１０をさらに押し込むと、破袋部材５の各押圧突起５３が水パック３の外表面３ａをさらに押し、水パック３から水３２が押し出される。この水３２は発熱剤パック４中に浸入し、発熱剤４２と反応して発熱剤４２が発熱し、高温の水蒸気１１が発生する。この水蒸気１１は、破袋部材５の切り欠き５１１や穴５１２（図４参照）を通って上昇する。さらに、必要に応じて容器２を蓋１２で塞ぐことにより容器２内が高温の水蒸気１１で充満される。加熱対象物１０は、発熱剤４２の発熱と高温の水蒸気１１によって加熱される。蓋１２には、図示しないが水蒸気１１を抜く小さな孔が設けられている。
【００３０】
このように本実施の形態の加熱用パック１は、容器２内に加熱対象物１０を配置すれば加熱することが可能になるので、それ自体で独立して使用することが可能になる。よって、本実施の形態の加熱用パック１は、必要に応じて様々な加熱対象物を加熱することができ、必要最小限の加熱用パック１だけの廃棄とすることができる。
【００３１】
また、本実施の形態の加熱用パック１は、それ自体で独立して使用することが可能になるので、備蓄でき、持ち運んで様々な場所で使用できる。また、この加熱用パック１は、発熱剤と水とを利用して加熱対象物１０を加熱するものなので、火や電気が使用できない場所でも使用でき、また火の取り扱いが心配されるお年寄りや子供にも安心して使用できる。したがって、この加熱用パック１は一般家庭でも十分に使用することができる。
【００３２】
なお、本実施の形態では、加熱対象物１０を容器２内に配置したが、容器２より大きい場合は容器２の上に配置しても良い。
【００３３】
また、本実施の形態の加熱用パック１では、水パック３の上側に発熱剤パック４を介して破袋部材５を配置することにより破袋部材５を水パック３から離して配置した。これにより非使用時に破袋部材５が誤って水パック３を突き破るのを防ぐことができる。よって、本実施の形態の加熱用パック１は、使い勝手を向上させることができる。
【００３４】
さらに本実施の形態の加熱用パック１では、発熱剤パック４を円環状に形成し、その中央部分４ａ（空間）の上方に破袋部材５の刃部５２が位置するようにした。これにより使用時には刃部５２が水パック３を直接突き破ることが可能になる。したがって、発熱剤４２と水３２とを素早く反応させて、発熱剤４２を素早く発熱させるとともに高温の水蒸気１１を素早く発生させることができる。よって、本実施の形態の加熱用パック１は、加熱対象物１０を効率良く加熱することができる。
【００３５】
さらに本実施の形態の加熱用パック１は、破袋部材５の各押圧突起５３を水パック３の外表面３ａに間接的に接触するようにして配置した。これにより、使用時には各押圧突起５３が水パック３の外表面３ａを押すことにより中央部分３ｂが押し上げられるので、水パック３を刃部５２で効率良く突き破ることが可能になる。さらに、発熱剤４２と水３２とをより素早く反応させて、発熱剤４２をさらに素早く発熱させるとともに高温の水蒸気１１をさらに素早く発生させることができる。よって、本実施の形態の加熱用パック１は、加熱対象物１０をさらに効率良く加熱することができる。
【００３６】
さらに本実施の形態の加熱用パック１は、図２に示すように、破袋部材５の平板部５１の上面５１ｂに中央突起５４と複数の突出部５３ａを設けた。このため、加熱対象物１０を中央突起５４と複数の突出部５３ａの上に載せて破袋部材５を押し込むと破袋部材５の刃部５２と各押圧突起５３に均等に力が伝わるので傾かず、各押圧突起５３が水パック３の外表面３ａを確実に押すことが可能になる。これにより中央部分３ｂが確実に押し上げられて水パック３を刃部５２でさらに効率良く突き破り、発熱剤４２と水３２とをさらに素早く反応させ、発熱剤４２をさらに素早く発熱させるとともに高温の水蒸気１１をさらに素早く発生させることができる。よって、本実施の形態の加熱用パック１は、加熱対象物１０をさらに効率良く加熱することができる。
【００３７】
（他の発明の第１の実施の形態）
図６は、他の発明の第１の実施の形態の加熱器具１０１の分解縦断面図である。本実施の形態の加熱器具１０１は、本発明の加熱用パック１を用いて加熱対象物である液体を加熱するために使用されるものである。この加熱器具１０１は、加熱用パック１と、加熱用パック１を収容する上方が開口した下容器１０３（加熱用パック収容容器）と、下容器１０３に着脱可能で加熱用パック１から発生する熱を利用して液体を加熱する加熱体１０２とを有している。加熱用パック１の構成は本発明の第１の実施の形態で説明した通りなので、ここでは省略する。
【００３８】
下容器１０３は、上面１０３ａに開口部１０３ｂを有している。下容器１０３の外周面１０３ｃの上部には、縮径部１０３ｄが形成されている。
【００３９】
加熱体１０２は、下容器１０３に着脱可能に装着される筒状の上容器１０４と、上容器１０４内に収容される液体加熱容器１０５とを備えている。
【００４０】
上容器１０４は、上下方向に貫通した筒体１４１と、筒体１４１の上方を塞ぐ蓋体１４２とを備えている。
【００４１】
筒体１４１は、上面１４１ａと下面１４１ｂにそれぞれ開口部１４１ｃ、１４１ｄを有している。筒体１４１の外周面１４１ｅの上部には水蒸気を逃がす穴１４１ｆが形成されている。筒体１４１の内周面１４１ｇの下部には、拡径部１４１ｈが形成されている。この拡径部１４１ｈは、下容器１０３の縮径部１０３ｄと上下に着脱可能に嵌合するように形成されている。したがって、上容器１０４は、筒体１４１の拡径部１４１ｈが下容器１０３の縮径部１０３ｄと着脱可能に嵌合することにより下容器１０３に着脱可能に装着される。
【００４２】
また、拡径部１４１ｈの高さＨ１は縮径部１０３ｄの高さＨ２よりも低く設定されている。これにより、拡径部１４１ｈを縮径部１０３ｄに完全に嵌め込んだときには、図７の（ｄ）に示すように双方の間に隙間Ｓが形成される。上容器１０４を下容器１０３から外すときには、この隙間Ｓにコインや爪を入れて緩めた後、全体を捻じれば容易に上容器１０４を外すことができる。
【００４３】
また、拡径部１４１ｈの高さＨ１と縮径部１０３ｄの高さＨ２は、図７の（ｄ）に示すように拡径部１４１ｈを縮径部１０３ｄに完全に嵌め込んだときに液体加熱容器１０５が破袋部材５を容器２内の下部まで押し込むことが可能な高さに設定されている。
【００４４】
液体加熱容器１０５は、液体を入れるものである。図６に示すようにこの液体加熱容器１０５は、上面１０５ａに開口部１０５ｂを有している。この液体加熱容器１０５は、その上端部にフランジ１０５ｃが形成されている。このフランジ１０５ｃは筒体１４１の上面１４１ａ全体に結合されている。また、液体加熱容器１０５は、下方から上方へ向かって拡径されて形成されている。さらに、液体加熱容器１０５の下部１０５ｄは、加熱用パック１の容器２内に入るように形成されている。
【００４５】
図６と図７に示すように蓋体１４２は、底面１４２ａの中央部分に、液体加熱容器１０５の開口部１０５ｂに嵌め込むための嵌合部１４２ｂが形成されている。蓋体１４２は、嵌合部１４２ｂを液体加熱容器１０５の開口部１０５ｂに嵌め込んで底面１４２ａを液体加熱容器１０５の上面１０５ａに密接させることで液体加熱容器１０５を密閉するように構成されている。
【００４６】
次に、図７を用いて、加熱器具１０１を使用して液体Ｅを加熱するときの手順を説明する。
【００４７】
最初に、図７の（ａ）に示すように、液体加熱容器１０５内に液体Ｅを入れて、液体加熱容器１０５を蓋体１４２で密閉する。これにより加熱体１０２が形成される。次に、下容器１０３内に加熱用パック１を収容し、加熱用パック１の容器２からシール材６を剥がす。
【００４８】
次に、図７の（ｂ）に示すように破袋部材５の上に液体加熱容器１０５を載せる。このときに筒体１４１の拡径部１４１ｈの下端部を下容器１０３の縮径部１０３ｄの上端部に嵌め込む。
【００４９】
続いて、図７の（ｃ）に示すように加熱体１０２（筒体１４１）を押し込むと、本発明の第１の実施の形態で説明したように破袋部材５の各押圧突起５３で水パック３の外表面３ａが押されて中央部分３ｂが押し上げられ、中央部分３ｂが刃部５２により突き破られる。これにより、水パック３から水３２が漏れ出す。
【００５０】
さらに、図７の（ｄ）に示すように、加熱体１０２を下容器１０３に完全に嵌合するまで押し込むと、本発明の第１の実施の形態で説明したように破袋部材５の各押圧突起５３が水パック３の外表面３ａをさらに押して水パック３内の水３２が押し出される。この水３２は発熱剤パック４中の発熱剤４２と反応して発熱し、高温の水蒸気１１が発生する。この水蒸気１１は、破袋部材５の切り欠き５１１や穴５１２（図４参照）を通って上昇していき、筒体１４１の穴１４１ｆから外部に抜ける。液体加熱容器１０５は、発熱剤４２の発熱と高温の水蒸気１１によって加熱されて液体加熱容器１０５内の液体Ｅが加熱される。
【００５１】
以上説明したように本実施の形態の加熱器具１０１では、シール材６を剥がし、加熱体１０２に下容器１０３を装着することにより、破袋部材５が水パック３を突き破ることを可能にした。これにより、加熱体１０２の液体加熱容器１０５に様々な液体を入れて加熱することができる。また、液体加熱容器１０５内に水とともに哺乳瓶やペットボトル等を入れてこれらを加熱することもできる。
【００５２】
また、本実施の形態の加熱器具１０１は、加熱用パック１を用いて加熱するものであるため、火や電気が使用できない場所でも使用でき、火の取り扱いが心配されるお年寄りや子供にも安心して使用することができる。したがって、この加熱器具１０１は一般家庭でも十分に使用することができる。
【００５３】
また、本実施の形態の加熱器具１０１では、液体加熱容器１０５に加熱用パック１を装着するために、下容器１０３と上容器１０４を用いたので、液体加熱容器１０５と加熱用パック１を安定した状態で使用することが可能になる。よって、本実施の形態の加熱器具１０１は、液体Ｅの加熱作業の効率を上げることができる。
【００５４】
また、本実施の形態の加熱器具１０１では、下容器１０３に加熱体１０２が着脱可能となっている。このため、加熱用パック１を使用した後は、加熱体１０２を持ち上げて下容器１０３から外し、下容器１０３内から使用済みの加熱用パック１を取り出す。つまり、加熱器具１０１の使用後は、使用済の加熱用パック１のみを捨てることができる。また、新たに液体を加熱するときは、下容器１０３内に新しい加熱用パック１を収容してシール材６を剥がし、この下容器１０３に加熱体１０２を装着すれば良い。よって、本実施の形態の加熱器具１０１は、加熱体１０２を繰り返して使用することができる。
【００５５】
また、本実施の形態の加熱器具１０１では、加熱体１０２を下容器１０３に嵌め込んでいくときに液体加熱容器１０５が破袋部材５を押すことにより破袋部材５が水パック３を突き破るようにした。このため、本実施の形態の加熱器具１０１では、下容器１０３に加熱体１０２を装着する作業と、水パック３を突き破る作業とを同時に行うことが可能になる。よって、本実施の形態の加熱器具１０１は、液体Ｅや哺乳瓶、ペットボトル等の加熱作業をすぐに開始でき、作業効率を上げることができる。
【００５６】
（他の発明の第２の実施の形態）
図８は、他の発明の第２の実施の形態の加熱器具２０１の分解縦断面図である。本実施の形態の加熱器具２０１は、加熱用パック３０１を用いて加熱対象物である液体を加熱するために使用されるものである。この加熱器具２０１は、加熱用パック３０１と、加熱用パック３０１を収容する上方が開口した下容器２０３（加熱用パック収容容器）と、下容器２０３に着脱可能で加熱用パック３０１から発生する熱を利用して液体を加熱する加熱体２０２とを有している。この加熱器具２０１において、本発明の第１の実施の形態の加熱用パック１や他の発明の第１の実施の形態の加熱器具１０１と同様な部分には同じ符号を付し、異なる部分を中心にして説明する。
【００５７】
加熱用パック３０１は、発熱剤４２が水３２と反応して発熱するのを利用して加熱対象物を加熱するものである。この加熱用パック３０１は、容器２と、容器２内に収容された水パック３および発熱剤パック３０４と、容器２を密閉するシール材６と、容器２外に配置された破袋部材３０５とを備えている。
【００５８】
発熱剤パック３０４は、透水性袋３４１に発熱剤４２が封入されたものである。この透水性袋３４１は、例えば不織布が用いられており、扁平断面で環状に形成されており、その中に水パック３が配置されている。
【００５９】
破袋部材３０５は、水パック３を突き破るためのものである。この破袋部材３０５は、液体加熱容器１０５の底部１０５ｅに設けられている。また、この破袋部材３０５は、容器２と同様に耐熱性の材料で形成されている。さらに、この破袋部材３０５は、その中央部分に設けられた刃部５２と、その周囲に設けられた複数の押圧突起５３とを備えている。
【００６０】
下容器２０３は、上面２０３ａに開口部２０３ｂを有している。下容器２０３の外周面２０３ｃの上部には、縮径部２０３ｄが形成されている。
【００６１】
加熱体２０２は、下容器２０３に着脱可能に装着される筒状の上容器２０４と、上容器２０４内に収容される液体加熱容器１０５とを備えている。
【００６２】
上容器２０４は、上下方向に貫通した筒体２４１と、筒体２４１内の上方を塞ぐ蓋体１４２とを備えている。
【００６３】
筒体２４１は、上面２４１ａと下面２４１ｂにそれぞれ開口部２４１ｃ、２４１ｄを有している。筒体２４１の外周面２４１ｅの上部には水蒸気を逃がす穴２４１ｆが形成されている。筒体２４１の内周面２４１ｇの下部には、拡径部２４１ｈが形成されている。この拡径部２４１ｈは、下容器２０３の縮径部２０３ｄと上下に着脱可能に嵌合するように形成されている。したがって、上容器２０４は、筒体２４１の拡径部２４１ｈが下容器２０３の縮径部２０３ｄと着脱可能に嵌合することにより下容器２０３に着脱可能に装着される。
【００６４】
また、拡径部２４１ｈの高さＨ１は縮径部２０３ｄの高さＨ２よりも低く設定されている。これにより、拡径部２４１ｈを縮径部２０３ｄに完全に嵌め込んだときには、図９の（ｄ）に示すように双方の間に隙間Ｓが形成される。上容器２０４を下容器２０３から外すときには、この隙間Ｓにコインや爪を入れて緩めた後、全体を捻じれば容易に上容器２０４を外すことができる。
【００６５】
また、拡径部２４１ｈの高さＨ１と縮径部２０３ｄの高さＨ２は、図９の（ｄ）に示すように拡径部２４１ｈを縮径部２０３ｄに完全に嵌め込んだときに液体加熱容器１０５が破袋部材３０５を容器２内の下部まで押し込むことが可能な高さに設定されている。
【００６６】
次に、図９を用いて、加熱器具２０１を使用して液体Ｅを加熱するときの手順を説明する。
【００６７】
最初に、図９の（ａ）に示すように、液体加熱容器１０５内に液体Ｅを入れて、液体加熱容器１０５を蓋体１４２で密閉する。これにより加熱体２０２が形成される。次に、下容器２０３内に加熱用パック３０１を収容し、加熱用パック３０１の容器２からシール材６を剥がす。
【００６８】
次に、図９の（ｂ）に示すように加熱体２０２（筒体２４１）の拡径部２４１ｈの下端部を下容器２０３の縮径部２０３ｄの上端部に嵌め込む。
【００６９】
続いて、図９の（ｃ）に示すように加熱体２０２を押し込むと、破袋部材３０５の各押圧突起５３が水パック３の外表面３ａを押すことにより中央部分３ｂが押し上げられて刃部５２により突き破られる。これにより水パック３から水３２が漏れ出す。
【００７０】
さらに、図９の（ｄ）に示すように、加熱体２０２を下容器２０３に完全に嵌合するまで押し込むと、破袋部材３０５の各押圧突起５３が水パック３の外表面３ａをさらに押して水パック３内の水３２が押し出される。この水３２は発熱剤パック３０４中の発熱剤４２と反応して発熱し、高温の水蒸気１１が発生する。この水蒸気１１は上昇していき、筒体２４１の穴２４１ｆから外部に抜ける。液体加熱容器１０５は、発熱剤４２の発熱と高温の水蒸気１１によって加熱されて液体加熱容器１０５内の液体Ｅが加熱される。
【００７１】
以上説明したように本実施の形態の加熱器具２０１では、シール材６を剥がし、加熱体２０２に下容器２０３を装着することにより、破袋部材３０５が水パック３を突き破ることを可能にした。これにより、加熱体２０２の液体加熱容器１０５に様々な液体を入れて加熱することができる。また、液体加熱容器１０５内に水とともに哺乳瓶やペットボトル等を入れてこれらを加熱することもできる。
【００７２】
また、本実施の形態の加熱器具２０１では、加熱体２０２側に、加熱用パック３０１内の破袋部材３０５を設けた。これにより加熱体２０２に加熱用パック３０１を装着するときに加熱体２０２を持った状態で水パック３を突き破ることが可能になる。よって、本実施の形態の加熱器具２０１は、液体Ｅや哺乳瓶、ペットボトル等の加熱作業をすぐに開始でき、作業効率を上げることができる。
【００７３】
さらに、本実施の形態の加熱器具２０１では、加熱体２０２を下容器２０３に嵌め込んでいくときに加熱体２０２側に設けられた破袋部材３０５で水パック３を突き破るようにした。このため、本実施の形態の加熱器具２０１では、下容器２０３に加熱体２０２を装着する作業と、水パック３を突き破る作業とを同時に行うことが可能になる。よって、本実施の形態の加熱器具２０１は、液体Ｅや哺乳瓶、ペットボトル等の加熱作業の作業効率をさらに上げることができる。その他の効果は、第１の実施の形態で説明した通りである。
【００７４】
以上、本発明に係る実施の形態を例示したが、本実施の形態は本発明の内容を限定するものではない。また、本発明の請求項の範囲を逸脱しない範囲であれば、各種の変更等は可能である。
【００７５】
例えば、本発明の実施の形態の加熱用パック１では、容器２内で破袋部材５を水パック３の上側に配置したが、その他に例えば破袋部材５の上側に水パック３を配置するように構成しても良い。また、容器内に、破袋部材、水パック、発熱剤パックを配置する場合に、各配置位置や形状等は特に限定されない。
【００７６】
また、他の発明の実施の形態では、加熱用パック３０１の破袋部材３０５を容器２外に配置する例として、加熱体２０２側（液体加熱容器１０５の底部１０５ｅ）に破袋部材３０５を設けた例を説明したが、その他に例えば破袋部材（本発明の実施の形態の破袋部材５等）を容器２に紐で繋いで容器２外に配置しても良い。
【符号の説明】
【００７７】
１、３０１    加熱用パック
２    容器
２ａ    上面
２ｂ    開口部
３    水パック
４、３０４    発熱剤パック
５、３０５    破袋部材
６    シール材
３１    袋
３２    水
４１、３４１    透水性袋
４２    発熱剤
１０１、２０１    加熱器具
１０２、２０２    加熱体
１０３、２０３    下容器（加熱用パック収容容器）
Ｅ    液体
【図１】
2015161490.tif 000003
【図２】
2015161490.tif 000004
【図３】
2015161490.tif 000005
【図４】
2015161490.tif 000006
【図５】
2015161490.tif 000007
【図６】
2015161490.tif 000008
【図７】
2015161490.tif 000009
【図８】
2015161490.tif 000010
【図９】
2015161490.tif 000011